(57)【特許請求の範囲】
【請求項１】
配線用遮断器の端部に設けられた複数の端子を覆う端子カバーであって、
上面、この上面の両側端から垂直方向に延出する側壁、及び、前記上面から垂直方向に延出し前記側壁間に形成された異極間隔壁を備え、前記上面及び側壁又は異極間隔壁で囲まれる空間により出線口が形成され、前記端子の出線側を前記上面及び側壁又は異極間側壁で覆い、前記出線口から前記端子に接続された配線が出線される硬質樹脂製のカバー本体に、前記上面から前記出線口を閉塞するように形成された可撓性を有する軟質樹脂製の保護カバー片を有し、かつこの前記保護カバー片の先端を前記出線口の開口部に向けて、前記保護カバー片を傾斜させて設けたことを特徴とする配線用遮断器の端子カバー。
【発明の詳細な説明】
【技術分野】
【０００１】
本発明は、配線用遮断器の配線接続部分を保護するカバーに関する。
【背景技術】
【０００２】
従来から特許文献１に示されるような配線用遮断器が用いられている。このような配線用遮断器の端子には、複数の配線が接続されるが、端子が露出していると、感電の恐れがあるために、図１０に示されるように、端子９４０を覆う端子カバー９５０を配線用遮断器９００に取り付け、感電を防止する構造が提案されている。端子カバー９５０は、カバー上面９５１から垂直方向に側壁９５２が形成されるとともに、カバー上面９５１から垂直方向に、前記側壁９５２間に異極間隔壁９５３が形成されている構造である。カバー上面９５１と側壁９５２又は異極間隔壁９５３で囲まれる空間は、出線口９５４となっていて、この出線口９５４から配線９９０が外部に出線される。端子カバー９５０が取り付けられた状態では、異極間隔壁９５３が隣接する配線９９０間に進入し、この異極間隔壁９５３により、工具や指が出線口９５４内に進入することを抑止している。
【先行技術文献】
【特許文献】
【０００３】
【特許文献１】特開２００８−２６２９３５号公報
【発明の概要】
【発明が解決しようとする課題】
【０００４】
配線用遮断器９００には、サイズの異なる電線が取り付けられることから、出線口９５３を、接続される配線のうち最大サイズの配線に対応する大きさにする必要がある。このため、工具や指が出線口９５４に進入してしまう恐れがあった。
本発明は、上記問題を解決し、配電用遮断器の配線接続部分への接触を防止することができる技術を提供する。
【課題を解決するための手段】
【０００５】
上記課題を解決するためになされた請求項１に記載の発明は、
配線用遮断器の端部に設けられた複数の端子を覆う端子カバーであって、
上面、この上面の両側端から垂直方向に延出する側壁、及び、前記上面から垂直方向に延出し前記側壁間に形成された異極間隔壁を備え、前記上面及び側壁又は異極間隔壁で囲まれる空間により出線口が形成され、前記端子の出線側を前記上面及び側壁又は異極間側壁で覆い、前記出線口から前記端子に接続された配線が出線される硬質樹脂製のカバー本体に、前記上面から前記出線口を閉塞するように形成された可撓性を有する軟質樹脂製の保護カバー片を有し、かつこの前記保護カバー片の先端を前記出線口の開口部に向けて、前記保護カバー片を傾斜させて設けたことを特徴とする。
【発明の効果】
【０００７】
本発明によれば、端子の出線側を前記上面及び側壁又は異極間側壁で覆う硬質樹脂製のカバー本体に、前記上面から前記出線口を閉塞するように形成された可撓性を有する軟質樹脂製の保護カバー片を設けたので、端子接続される配線の線径に関わらず、配線を取り付けた後の各出線口の開口部が保護カバー片によって閉塞され、各出線口内への工具や指の進入が防止され、配電用遮断器の配線接続部分への接触を防止することができる。また本発明によれば、端子カバーを上方から下方に降ろして配線用遮断器に取りつけるという作業だけで、各保護カバー片が外側に変形し、各出線口から出線する配線上に垂れかかり、各出線口の開口部が保護カバー片によって閉塞されるので、取付作業性に優れる。
【図面の簡単な説明】
【０００８】
【図１】第１の実施形態の配線用遮断器の端子カバーの取付状態斜視図である。
【図２】第１の実施形態の配線用遮断器の端子カバーを引き上げた状態の斜視図である。
【図３】第１の実施形態の配線用遮断器の端子カバーの分解斜視図である。
【図４】図２のＡ−Ａ断面図である。
【図５】配線を取りつけた後に、第１の実施形態の配線用遮断器の端子カバーを引き上げた状態の斜視図である。
【図６】第１の実施形態の別例の配線用遮断器の端子カバーの斜視図である。
【図７】図６のＢ−Ｂ断面図である。
【図８】図７のＣ−Ｃ断面図である。
【図９】第２の実施形態の配線用遮断器の端子カバーの斜視図である。
【図１０】従来の端子保護カバーの斜視図である。
【発明を実施するための形態】
【０００９】
（第１の実施形態）
以下に図面を参照しつつ、本発明の好ましい実施の形態（第１の実施形態）を示す。図１、図２において、１０は配線用遮断器、２０は配線用遮断器の端子カバー（以下、端子カバー２０とする）である。なお、本明細書において、レバー１２の突出方向を上方とする。
【００１０】
配線用遮断器１０は、複数極の電源側端子及び負荷側端子１２（図２に示す）、過負荷または短絡の際に自動的に、前記電源側端子と負荷側端子１２の配線路を遮断する過電流引き外し装置を有している。過電流引き外し装置は、配線用遮断器１０の筐体１１内に配設されている。図２に示されるように、配線用遮断器１０の筐体１１の一端には、一端側及び上方に開放する複数の端子取付部１１ａが並列して形成されている。隣接する端子取付部１１ａ間には、仕切壁１１ｂが立設されている。端子取付部１１ａには、負荷側端子１２が取り付けられている。筐体１１の一端と同様に、筐体１１の他端側にも、複数の端子取付部が並列して形成され、この端子取付部に電源側端子が取り付けられている。
【００１１】
端子カバー２０は、硬質樹脂で成型された端子カバー本体２１と、可撓性を有する樹脂で成型された保護カバー部材２２とから構成されている。なお、硬質樹脂には、ＡＢＳ樹脂（アクリロトリニトルブタジオエスチレン樹脂）、アクリル樹脂、ポリエチレン、ポリスチレン、ポリプロピレン、ポリ塩化ビニルが含まれる。軟質樹脂は、硬質樹脂よりも柔らかく可撓性を有する樹脂であり、エラストマー、ゴムが含まれる。
【００１２】
端子カバー本体２１は、上面２１ａと、この上面２１ａの両側端から垂直方向（下側方向）に延出する側壁２１ｂと、側壁間２１ｂを区切るように上面２１ａから垂直方向（下側方向）に延出する異極間隔壁２１ｃが一体成型されている。なお、図１に示されるように、端子カバー２０が配線用遮断器１０に取り付けられた状態では、上面２１ａは、筐体１１のハンドル１２がある面と同一平面又は平行する面に位置している。上面２１ａと、側壁２１ｂ又は異極間隔壁２１ｃで囲まれる空間は、出線口２１ｄ（図３に示す）となっている。図３に示されるように、上面２１ａには、各出線口２１ｄに連通する長方形状の取付穴２１ｅが、上面２１ａの幅方向１列に連通形成されている。図３に示されるように、上面２１ａには、各取付穴２１ｅを接続する取付溝２１ｇが凹陥形成されている。
【００１３】
図４の（Ａ）は保護カバー部材２２を取り付ける前の図２のＡ―Ａ断面図であり、図４の（Ｂ）は図２のＡ−Ａ断面図である。図４の（Ａ）に示されるように、取付穴２１ｅの下部には、出線口２１ｄの出口側方向に形成された空間である係合部２１ｆが形成されている。
【００１４】
図３に示されるように、保護カバー部材２２は、並設して形成された複数の板状の保護カバー片２２ａと、この複数の保護カバー片２２ａの上端を接続する接続部２２ｂが一体成型されて構成されている。図３に示されるように、接続部２２ｂに各保護カバー片２２ａが接続している位置には、係合突起２２ｃが形成されている。各保護カバー片２２ａを、取付穴２１ｅに挿入することにより、接続部２２ｂが取付溝２１ｇに係合し、各係合突起２２ｃが各係合部２１ｆに係合し（図４の（Ｂ）に示す）、保護カバー部材２２が端子カバー本体２１の上面２１ａに取り付けられる。保護カバー部材２２が端子カバー本体２１に取りつけられた状態では、各カバー片２２ａは、上面２１ａから出線口２１ｄを閉塞するように垂下している。また、各保護カバー片２２ａの先端が各出線口２１ｄの開口部を向くように、各保護カバー片２２ａは傾斜している。
【００１５】
図５に示されるように、負荷側端子１２に配線９９を接続させた後に、各端子取付部１１ａと各出線口２１ｄを合致させ、各端子取付部１１ａ上を上面２１ａで覆うようにして、端子カバー２０を配線用遮断器１０の端部に取り付ける（図１に示す）。すると、負荷側端子１２の出線側が上面２１ａ及び側壁２１ｂ又は異極間側壁２１ｃで覆われ、出線口２１ｄから負荷側端子１２に接続された配線９９が出線される。保護カバー部材２２は可撓性を有するので、各保護カバー片２２ａが外側に変形し、各出線口２１ｄから出線する配線９９上に垂れかかる。このため、配線９９の線径に関わらず、配線９９を取り付けた後の各出線口２１ｄの開口部が保護カバー片２２ａによって閉塞され、各出線口２１ｄ内への工具や指の進入が防止される。
【００１６】
前述したように、保護カバー片２２ａは、その先端が出線口２２ｄの開口部に向けて、傾斜して上面２１ａに取りつけられている。このため、端子カバー２０を上方から下方に降ろして配線用遮断器１０に取りつけるという簡単な作業だけで、各保護カバー片２２ａが、外側に変形し、各出線口２１ｄから出線する配線９９上に垂れかかるので、取付作業性に優れる。図４の（Ｂ）に示されるように、係合突起２２ｃが係合部２１ｆと係合しているので、保護カバー片２２ａが配線９９で押されたとしても、保護カバー部材２２が筐体１１から外れないようになっている。
なお、配線用遮断器１０の電源側にも、負荷側と同様に、保護カバー部材２２が取りつけられる。
【００１７】
以下、図６〜図９を用いて、第１の実施形態の別例について、以上説明した実施形態と異なる点について説明する。この実施形態では、取付穴２１ｅの代わりに、上面２１ａの裏面側に、取付凹部２１ｈが凹陥形成されている。図８の（Ｂ）に示されるように、取付凹部２１ｈが形成されている部分の上面２１ａは、当接部２１ｊとなっている。図８の（Ｂ）に示されるように、取付凹部２１ｈの両端には、係合凹部２１ｉが形成されている。係合凹部２１ｉの下側（図８の（Ｂ）において上方）には、脱落防止片２１ｋが形成されている。この実施形態の保護カバー部材２３は、板状の保護カバー片２３ａと、この保護カバー片２３ａの基端に形成されたブロック状の取付部２３ｂとが一体成形されて構成されている。図８に示されるように、取付部２３ｂの両端には、係合片２３ｃが形成されている。
【００１８】
図８に示されるように、取付部２３ｂが取付凹部２１ｈ内に挿入され、係合片２３ｃが係合凹部２１ｉと係合して、保護カバー部材２３が上面２１ａに取りつけられている。保護カバー部材２３が上面２１ａに取りつけられた状態では、保護カバー片２３ａの先端が出線口２１ｄの開口部を向くように、保護カバー片２３ａが傾斜して出線口２１ｄを閉塞している。この実施形態では、保護カバー片２３ａが配線９９で押されたとしても、当接部２１ｊにより、取付部２３ｂの移動が抑止されるので、保護カバー部材２３が上面２１ａから外れないようになっている。また、係合片２３ｃが、係合凹部２１ｉと係合し、脱落防止片２１ｋと当接しているので、保護カバー部材２３が上面２１ａから脱落しないようになっている。
【００１９】
（第２の実施形態）
図９を用いて、第２の実施形態の配線用遮断器の端子カバー３０について、第１の実施形態の配線用遮断器の端子カバー２０と異なる点について説明する。第２の実施形態の保護カバー部材３２は、各保護カバー片３２ａの先端が連結部３２ｂで連結されている。これにより、ある保護カバー片３２ａが出線口２１ｄ内部に押されたとしても、連結部３２ａが異極間隔壁２１ｃと当接し、保護カバー片３２ａの出線口２１ｄ内部側への変形が抑止される。このため、各出線口２１ｄ内への工具や指の進入がより防止される。
【００２０】
以上説明した実施形態では、端子カバー２０,３０と、保護カバー部材２２、２３、３２を別体成形しているが、端子カバー２０,３０と、保護カバー部材２２、２３、３２を２色混合成形で一体成形して、配線用遮断器の端子カバー２０、３０を構成しても差し支え無い。
【００２１】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う配線用遮断器の端子カバーもまた技術的範囲に包含されるものとして理解されなければならない。   
【符号の説明】
【００２２】
１０    配線用遮断器
１１    筐体
１１ａ  端子取付部
１１ｂ  仕切壁
２０    配線用遮断器の端子カバー（第１の実施形態）
２１    端子カバー本体
２１ａ  上面
２１ｂ  側壁
２１ｃ  異極間隔壁
２１ｄ  出線口
２１ｅ  取付穴
２１ｆ  係合部
２１ｇ  取付溝
２１ｈ  取付凹部
２１ｉ  係合凹部
２１ｊ  当接部
２１ｋ  脱落防止片
２２    保護カバー部材（第１の実施形態）
２２ａ  保護カバー片
２２ｂ  接続部
２２ｃ  係合突起
２３    保護カバー部材（第１の実施形態の別例）
２３ａ  保護カバー片
２３ｂ  取付部
２３ｃ  係合片
３０    配線用遮断器の端子カバー（第２の実施形態）
３２    保護カバー部材
９９    配線
【図１】
0005578677.tif 000002
【図２】
0005578677.tif 000003
【図３】
0005578677.tif 000004
【図４】
0005578677.tif 000005
【図５】
0005578677.tif 000006
【図６】
0005578677.tif 000007
【図７】
0005578677.tif 000008
【図８】
0005578677.tif 000009
【図９】
0005578677.tif 000010
【図１０】
0005578677.tif 000011